(57)【要約】【課題】目地に配置され、施工性、耐久性及び外観に優れる水抜き部材、及び水抜き部材付き目地材を提供する。【解決手段】建物１外壁に形成される目地内に配置される水抜き部材１０、１１０であって、複数の平板が箱状に組み合わされて形成されるとともに該平板のうち対向する一対の平板にスリット１２、１２、…、１３、１３、…、１１２、１１２、…、１１３、１１３、…が設けられる箱体１１、１１１と、箱体の他の対向する一対の平板の箱体の外側に配置される凸部、又は凹部を形成する連結部１５、１１５とを備える。【選択図】図３
2009024394.tif 000002
【特許請求の範囲】
【請求項１】
建物外壁に形成される目地内に配置される水抜き部材であって、
複数の平板が箱状に組み合わされて形成されるとともに該平板のうち対向する一対の平板にスリットが設けられる箱体と、
前記箱体の他の対向する一対の平板の前記箱体の外側に配置される凸部、又は凹部を形成する連結部と、を備える水抜き部材。
【請求項２】
前記箱体の前記対向する一対の平板に設けられた前記スリットの一方の平板のスリットと他方の平板のスリットとが千鳥状に配列されていることを特徴とする請求項１に記載の水抜き部材。
【請求項３】
請求項１又は２に記載の水抜き部材を備える目地材であって、
前記水抜き部材の前記連結部の凸部、又は凹部に挿入可能に対応する凹部又は凸部である被連結部を備え、
前記連結部と前記被連結部とが連結して前記目地内に配置されることを特徴とする水抜き部材付き目地材。
【請求項４】
前記水抜き部材の前記箱体の前記スリットが設けられた前記平板のうちの一面と、前記水抜き部材が配置された以外の部分の一面と、が略同一平面を形成していることを特徴とする請求項３に記載の水抜き部材付き目地材。
【発明の詳細な説明】
【技術分野】
【０００１】
本発明は、窓枠周りの目地に配置される水抜き部材、及び水抜き部材付き目地材に関する。詳しくは、目地に配置され、施工性、耐久性、及び外観に優れる水抜き部材、及び水抜き部材付き目地材に関する。
【背景技術】
【０００２】
建物に配置されるサッシ等の窓周りには、窓枠と外壁材との間隙である目地が形成される。そして、当該目地には、ここから建物内側へ雨水等が浸入することを防止、抑制するために目地材が充填される。しかし、一方、目地材により目地からの雨水の浸入は防止されたものの、他の部位から侵入し、外壁材の裏面（室内側）に達した雨水や結露による水が存する場合が少なくない。通常の外壁部分では、当該水は外壁材の裏面を伝って、建物下方に流れ落ちることで排水される。ところが、窓枠があることにより当該水はこれより下に流れ落ちることができず、このままでは水が溜まってしまうので不具合が生じる。
【０００３】
そこで、窓枠と外壁材との間、特に上窓枠と外壁材との目地には当該水を排水するための手段が設けられる。特許文献１には、目地材としてシーリング、すなわち湿式の目地材に使用できる水抜き部材が開示されている。これによれば目地の室内外を貫通する排水孔を有する成形体（水抜き部材）を目地材の中に両面テープ等で固定し、その周りにシーリングを充填して目地を埋めるとともに成形体をシーリングの接着力により固定するというものである。
【０００４】
また、長尺の所定の弾性を有する部材を目地内に押し込み目地を埋める形式のいわゆる乾式の目地材では、文献による開示はないが、例えばその一部を室内外方向に貫通するように切り欠いて水抜き部を形成する技術が知られている。
【特許文献１】特許第３７９９４９４号公報
【発明の開示】
【発明が解決しようとする課題】
【０００５】
しかし、特許文献１に開示されたような水抜き部材は、湿式の目地材が前提であり、目地材が乾いたときの接着力を利用して固定している。従って、これを乾式の目地材に用いることはできず、例えば接着剤や両面テープの接着力のみで目地の中に留め置くことは、これが排水用の部材であるという観点からも耐久性に問題があった。
【０００６】
また、切り欠いて排水部を形成する乾式目地材に用いられる従来の方法では、施工時に都度切り欠きを製作しなくてはならず、施工において手間がかかる等の問題があった。また、切り欠いて孔を作るので外観上も好ましくなかった。
【０００７】
そこで本発明は、目地に配置され、施工性、耐久性及び外観に優れる水抜き部材、及び水抜き部材付き目地材を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物（１）外壁に形成される目地内に配置される水抜き部材（１０、１１０）であって、複数の平板が箱状に組み合わされて形成されるとともに該平板のうち対向する一対の平板にスリット（１２、１２、…、１３、１３、…、１１２、１１２、…、１１３、１１３、…）が設けられる箱体（１１、１１１）と、箱体の他の対向する一対の平板の箱体の外側に配置される凸部、又は凹部を形成する連結部（１５、１１５）とを備える水抜き部材により前記課題を解決する。
【００１０】
請求項２に記載の発明は、請求項１に記載の水抜き部材（１０、１１０）における箱体（１１、１１１）の対向する一対の平板に設けられたスリット（１２、１２、…、１３、１３、…、１１２、１１２、…、１１３、１１３、…）の一方の平板のスリットと他方の平板のスリットとが千鳥状に配列されていることを特徴とする。
【００１１】
請求項３に記載の発明は、請求項１又は２に記載の水抜き部材（１０、１１０）を備える目地材（２０、１２０）であって、水抜き部材の連結部（１５、１１５）の凸部（１５）、又は凹部（１１５）に挿入可能に対応する凹部（２５）又は凸部（１２２ａ）である被連結部（２５、１２２ａ）を備え、連結部と被連結部とが連結して目地内に配置されることを特徴とする水抜き部材付き目地材を提供することにより前記課題を解決する。
【００１２】
請求項４に記載の発明は、請求項３に記載の水抜き部材付き目地材（２０、１２０）の水抜き部材（１０、１１０）の箱体（１１）のスリット（１２、１２、…）が設けられた平板のうちの一面と、水抜き部材が配置された以外の部分の一面とが略同一平面を形成していることを特徴とする。
【発明の効果】
【００１３】
請求項１に記載の発明によれば、水抜き部材が連結部を備えているので、目地材に差し込むことができ、これにより目地材に固定することが可能である。従って、水抜き部材の固定を湿式の目地材のようにその接着力や粘着材に頼ることがなく安定して固定することができる。一方、従来の乾式の目地材のように目地材の一部を室内外方向に水抜き部を形成するために切り欠く必要もなく利便性、及び意匠性が高い。
【００１４】
請求項２に記載の発明によれば、一方の平板に備えられるスリットとこれに対向する他方の平板に備えられるスリットとが千鳥状に配置されているので、室外側からの風雨の吹き込みの勢いを弱めることができる。
【００１５】
請求項３に記載の発明によれば、上記効果を奏する水抜き部材を備える目地材であるので、上記効果を奏すると共に、水抜き部材を個別に目地に配置して施工する必要がなく、同時に施工することができるので施工性を向上させることができる。
【００１６】
請求項４に記載の発明によれば、室外側に露出される部分が面一となるので意匠性に優れるとともに清掃も容易である。
【００１７】
本発明のこのような作用及び利得は、次に説明する発明を実施するための最良の形態から明らかにされる。
【発明を実施するための最良の形態】
【００１８】
以下本発明を図面に示す実施形態に基づき説明する。
【００１９】
図１は、第一実施形態に係る本発明の水抜き部材１０が具備される建物１の一部を室外側からみた図である。図２は図１にＡ−Ａで示した線に沿った矢視垂直断面図のうち水抜き部材１０の近傍に注目して示した図である。図２では紙面左が室外側、紙面右が室内側である。
建物１には、サイディング２、２、…、窓３、躯体４、４、胴縁５、台座６、水抜き部材１０、１０、及び目地材２０、２０、２０を備えている。また、建物１はこの他にも建物として当然に備えられる構成を具備している。
【００２０】
サイディング２、２、…は、所定の大きさを有する板状の部材で、建物１の外壁として縦横に並列される。従ってサイディング２、２、…は建物１の装飾的意義も大きく、その一面は意匠面となっており模様や凹凸が付されている。これらサイディング２、２、…は建物１の躯体４、４或いは胴縁５に直接、又は取付具を介して建物１に固定される。本発明の水抜き部材１０が備えられる建物１においては通常の建物に用いられるサイディングを用いることができ、特に限定されることはない。
【００２１】
窓３は、いわゆる引き違い窓である。具体的には窓３は、建物１の開口部に沿って設けられる上横枠３ａ、縦枠３ｂ、３ｂ、及び不図示の下横枠が枠状に組み合わされて形成された枠体を有している。そして該枠体の内側に引き違い障子３ｃ、３ｄが見付方向に移動可能に配置される。本発明の水抜き部材１０が備えられる建物１においては通常の建物に用いられる窓を用いることができ、特に限定されることはない。これには例えば引き違い式の窓に限らずスイング式に開閉する窓を挙げることができる。
【００２２】
当該窓３の枠体とサイディング２、２、…との間に間隙が形成されて目地となる。本発明の水抜き部材１０、１０が当該目地に配置される。水抜き部材１０、１０は特に上横枠３ａとサイディング２との間に具備される。
【００２３】
躯体４は建物１の構造部材でありいわゆる柱や梁である。また、胴縁５は躯体４である柱間や梁間を渡されるように該柱や梁の室外側に並列される複数の棒材であり、躯体４とサイディング２、２、…との間に通気を確保したり、サイディング２、２、…の取り付け強度を向上させたりすることができる。これら躯体４や胴縁５は通常の建物に用いられるものを使用することができる。
【００２４】
台座６は目地奥の躯体４に取り付けられる断面矩形の部材である。台座６はその室外側面に目地材２０が接着される等して固定される。これにより目地材２０の室内外方向の位置が決められる。台座の形状は上記目的を達成することができれば特に限定されるものではない。
【００２５】
次に水抜き部材１０について説明する。図３は水抜き部材１０、及び目地材２０の斜視図である。ここで目地材２０は長さ方向（紙面左上−右下方向）は省略して短く示している。図４は水抜き部材１０を示す図で図４（ａ）は正面図、図４（ｂ）は背面図、図４（ｃ）は側面図、及び図４（ｄ）は図４（ａ）にＢ−Ｂで示す線に沿った矢視断面図である。ここで説明の便宜のため、水抜き部材１０において図４（ａ）の紙面左右方向を長さ方向、同紙面上下方向を高さ方向、及び同紙面奥／手前方向を厚さ方向とする。図５は目地材２０の横断面（長手方向に直交する断面）である。図５（ａ）は弾性体２３、２３が目地を埋めるために膨張が許容された場面、図５（ｂ）は目地材２０、２０を目地に挿入する前の例えば流通時等において弾性体２３、２３の膨張が禁止された場面を示している。また、図６は水抜き部材１０と目地材２０、２０とが組み合わされたときの斜視図である。図１〜図６を参照しつつ水抜き部材１０及び目地材２０について説明する。
【００２６】
水抜き部材１０は図３、及び図４に示したように、箱体１１及び連結部である凸部１５、１５を備えている。箱体１１は、それぞれ対向する３組の合計６つの平板が組み合わされた中空の箱状体である。ここで箱体１１の高さは上記した目地の溝幅と略同一又は若干小さく形成されている。また箱体１１の厚さはサイディング２、２、…よりは薄い。
【００２７】
箱体１１のうち該箱体１１の長さ及び高さを形成する１組の対向する平板には、それぞれスリット１２、１２、…、及びスリット１３、１３、…が設けられている。スリット１２、１２、…、１３、１３、…は水抜き部材１０の高さ方向に長く、水抜き部材１０の長さ方向に短い矩形を有して該長さ方向に並列されている。スリット１２、１２、…は一方の平板に６つ、スリット１３、１３、…は当該一方の平板に対向する他方の平板に５つ設けられている。
【００２８】
ここで図４（ｄ）からよくわかるように、スリット１２、１２、…とスリット１３、１３、…とは、正面視（図４（ａ））ではスリット１３、１３、…が、背面視（図４（ｂ））ではスリット１２、１２、…が見えないように千鳥状に配置されている。これにより水切り部材１０が目地に設置されたときに室内外が一直線に直接連通することなく、少なくとも１つの平板が壁として存する構造となる。従って、室外側からの風雨の勢いを減衰させ、該風雨の勢いを維持したままスリットを介して室内側へ風雨が吹き込むことを防止することができる。
【００２９】
箱体１１の左右に配置される一対の平板のそれぞれからは、さらに左右方向外側に向けて板状の凸部１５、１５が備えられている。凸部１５、１５は、箱体１１に比べて高さ方向及び厚さ方向の大きさが若干小さく形成されている。
【００３０】
目地材２０は、図３及び図５からわかるように芯材２１、装飾材２２、弾性体２３、２３、及び粘着材２４を備えている。また、目地材２０が目地に挿入される前の例えば流通時等において弾性体２３、２３の膨張が禁止されるときには、図５（ｂ）に示したようにさらに封入板２６、２６が具備されている。
【００３１】
芯材２１は、略Ｈ字状の断面を有する長尺の棒状部材である。該Ｈ状の平行に対向する片の両端部は対向するように小さく折り曲げられるように形成されている。
【００３２】
装飾材２２は、略Ｃ字状の断面を有し、軟質で変形しやすい材料により形成された長尺の部材である。当該Ｃ字状である開口部に上記芯材２１のＨ字状である対向する片のうちの一方が差し込まれ取り付けられる。従って、これにより装飾材２２と芯材２１とで被連結部である凹部としての環状部２５が形成される。後述するように当該環状部２５の内側に水抜き部材１０の凸部１５が差し込まれて、本発明の水抜き部材付き目地材が形成され該水抜き部材１０が適切に目地内で固定される。
装飾材２２は、該装飾材２２が室外側に向けられて目地に挿入される。従って外観に与える影響を考慮して意匠性に優れた色彩や模様が付されている。また、装飾材２２は上記のように軟質で柔軟性の高い材料で形成されているので、目地内に挿入されたときに目地内面に密着し、ここで防水性を向上させることが可能である。
【００３３】
弾性体２３、２３は、芯材２１のＨ字状である開口した部分のそれぞれに挿入されるように配置され、中央の片に接着等の方法で固定される。また、弾性体２３、２３は、例えばスポンジ状の材質により形成されており、伸縮容易で目地内に適切に広がることができる。これにより目地を通じての空気、水の移動が禁止される。当該弾性体２３は、例えば流通時や施工時において目地に挿入される直前までは、図５（ｂ）に示したように圧縮されて封入板２６、２６により封入されている。これにより目地に挿入される前までは弾性体２３、２３を小さくさせておくことができ、取り扱いが容易となる。ここで、弾性体２３、２３は圧縮が保持された姿勢から該圧縮の力が除去されて伸展するまでに所定の時間がかかる材料であることが好ましい。これにより、封入板２６、２６を取り外した後も弾性体２３、２３が伸展するまでの時間で目地に挿入することができるので施工が容易となる。
【００３４】
粘着材２４は、芯材２１のＨ字状断面における装飾材２２が取り付けられた側とは反対側の片の外側に配置される粘着性を有するものである。これには例えば両面テープ等を挙げることができる。当該粘着材２４により目地材２０と上記した台座６とが固定される。
【００３５】
このような構成を有する水抜き部材１０と目地材２０、２０とは図６に示したように組み合わせられ、本発明の水抜き部材付き目地材を形成する。すなわち、水抜き部材１０の連結部としての凸部１５、１５のそれぞれが目地材２０、２０の被連結部としての上記環状部２５、２５の内側に差し込まれるように取り付けられる。このとき水抜き部材１０を高さ方向、及び目地材２０の２つの弾性部材２３、２３が上下方向となるように配置する。このように組み合わされた水抜き部材１０及び目地材２０、２０が図１、及び図２に示したように上窓枠３ａとサイディング２との間に形成された目地に挿入される。その際、水抜き部材１０のスリット１２、１２、…が設けられた面及び目地材２０の装飾材２２が室外側に向けられる。このとき、スリット１２、１２、…が配置される平板の室外側面と、装飾材２２の室外側面とが略面一となることが好ましい。これにより意匠性が向上するとともに、凹凸を減らして清掃が容易となる。
【００３６】
これにより水抜き部材１０の部分の目地においてスリット１２、１２、…及びスリット１３、１３、…を介して室内外方向が連通し、室内側に存する水を室外へ適切に排出することができる。また、上記のように、スリット１２、１２、…とスリット１３、１３、…とが千鳥状に配置されているので、室外側からの吹き込みの勢いを弱めることができる。
ここでさらにこの吹き込みの勢いを弱めることを目的に箱体１１の内側にメッシュを挿入してもよい。
【００３７】
水抜き部材１０を目地材２０に差し込むことにより目地材に固定することができるので、水抜き部材の固定を湿式の目地材のようにその接着力や粘着材に頼ることがなく安定して固定することができる。ただし、これは水抜き部材１０を目地材２０に仮止めするために粘着材を使用することを妨げるものではなく、凸部１５の一部に粘着材を設けて、装飾材２２の環状部２５側に粘着させるようにしても良い。
一方、従来の乾式の目地材のように目地材の一部を室内外方向に水抜き部を形成するために切り欠く必要もなく利便性が高い。
【００３８】
また、水抜き部材１０と目地材２０、２０とを別々に目地に配置して施工する必要がなく、同時に施工することができるので施工性が向上する。
【００３９】
以上に第一実施形態に係る水抜き部材１０、及び水抜き部材付き目地材について詳しく説明したが本発明はこれに限定されるものではない。図７及び図８には変形例にかかる水抜き部材１０ｂ、１０ｃを示した。目地材は目地材２０と共通なので説明を省略する。図７（ａ）、図８（ａ）は水抜き部材１０ｂ、１０ｃの正面図、図７（ｂ）、図８（ｂ）は同背面図、図７（ｃ）、図８（ｃ）は同右側面図、図７（ｄ）、図８（ｄ）は同底面図である。水抜き部材１０ｂ、１０ｃでも水抜き部材１０と同じ方向を長さ方向、高さ方向、及び厚さ方向とする。
【００４０】
水抜き部材１０ｂは、箱体１１ｂ及び連結部としての凸部１５ｂ、１５ｂを備えている。水抜き部材１０ｂの箱体１１ｂは、第一実施形態で示した水抜き部材１０の箱体１１の構成と比べると、図７（ｄ）からわかるように高さ方向下面の平板が備えられていない。これによりさらに水が抜け易くなる。また、箱体１１ｂに備えられるスリット１２ｂ、１２ｂ、…、及びスリット１３ｂ、１３ｂ、…は箱体１１ｂの最下端にまで達していることも特徴である。これによっても排水性が向上される。
【００４１】
水抜き部材１０ｃは箱体１１ｃ及び連結部としての凸部１５ｃ、１５ｃを備えている。水抜き部材１０ｃの箱体１１ｃは、上記変形例である水抜き部材１０ｂの箱体１１ｂと同様に、図８（ｄ）からわかるように高さ方向下面の平板が備えられていない。これにより水が抜け易くなる。また、箱体１１ｃに備えられるスリット１２ｃ、及びスリット１３ｃ、１３ｃ、は箱体１１ｃの最下端にまで達しているとともに、その長さ方向（紙面左右方向）が大きく形成され、その結果数が少ないことが特徴である。
【００４２】
図９〜図１２には第二実施形態に係る本発明の水抜き部材１１０を説明するための図を示した。図９は、水抜き部材１１０及び目地材１２０、１２０の斜視図である。図１０は水抜き部材１１０を表す図で、図１０（ａ）が正面図、図１０（ｂ）が背面図、図１０（ｃ）が右側面図、及び図１０（ｄ）がＣ−Ｃ矢視断面図である。図１１は、目地材１２０の横断面（長手方向に直交する断面）図、図１２は水抜き部材１１０と目地材１２０、１２０とが組み合わされたときの図である。以下図９〜図１２を参照しつつ水抜き部材１１０及び目地材１２０について説明する。
【００４３】
水抜き部材１１０は図９、及び図１０に示したように、箱体１１１及び連結部としての凹部１１５、１１５を備えている。箱体１１１は、上記第一実施形態の水抜き部材１０、１０ｂ、１０ｃに備えられる箱体１１、１１ｂ、１１ｃをそのまま適用することができるので、説明を省略する。
【００４４】
箱体１１１の左右に配置される一対の壁のそれぞれには、さらに左右方向外側に連結部としての凹部１１５、１１５が設けられている。凹部１１５、１１５は、水抜き部材１１０の厚さ方向に所定の間隙１１５ｂを有して平行に並べられた平板１１５ａ、１１５ａを備えている。後述するように当該間隙１１５ｂに目地材１２０、１２０の端部が差し込まれる。
【００４５】
目地材１２０は、図９及び図１１からわかるように芯材１２１、装飾材１２２、弾性体１２３、１２３、…、及び粘着材１２４を備えている。
【００４６】
芯材１２１は長尺の平板状部材で、横断面（長手方向に直交する断面）における一端には芯材１２１の面に直交する方向に板状の片１２１ａが設けられている。
【００４７】
装飾材１２２は、芯材１２１の横断面における片１２１ａが設けられた側とは反対側に、片１２１ａと平行に具備された平板である。装飾材１２２は、軟質で変形しやすい材料により形成されている。後述するように当該装飾材１２２の端部である凸部１２２ａ（図９参照）が水抜き部材１１０の間隙１１５ｂに差し込まれて水抜き部材１１０が適切に目地内で固定される。
装飾材１２２は、該装飾材１２２が室外側に向けられて目地に挿入される。従って装飾材１２２は外観に与える影響を考慮して意匠性に優れた色彩や模様が付されている。また、装飾材１２２は上記のように軟質で柔軟性の高い材料で形成されているので、目地内に挿入されたときに目地の壁面に密着し、ここで防水性を向上させることが可能である。
【００４８】
弾性体１２３、１２３は、横断面において芯材１２１から枝状に延在する部材で、装飾材１２２と同様に軟質で変形しやすい材料により形成されている。これにより目地材１２０が目地内に挿入されたときに目地の内面に密着し、目地を通じての空気、水の移動が禁止される。
【００４９】
粘着材１２４は、片１２１ａの芯材１２１が配置される側とは反対側の面に配置される粘着性を有する部材である。これには例えば両面テープ等を挙げることができる。当該粘着材１２４を介して目地材１２０と上記した台座６とが固定される。
【００５０】
また、目地材１２０は図９にＤで示したように、水抜き部材１１０に差し込まれる端部に具備される被連結部である凸部１２２ａを備えている。当該凸部１２２ａには芯材１２１、弾性体１２３、及び粘着材１２４が備えられていない。これにより、当該凸部１２２ａが水抜き部材１１０の間隙１１５ｂに差し込まれて水抜き部材１１０が適切に目地内で固定される。
【００５１】
このような構成を有する水抜き部材１１０と目地材１２０、１２０とは図１２に示したように組み合わせられることにより本発明の水抜き部材付き目地材が形成される。すなわち、水抜き部材１１０の連結部である凹部１１５、１１５の間隙１１５ｂ、１１５ｂのそれぞれに目地材１２０、１２０の被連結部である凸部１２２ａ、１２２ａを差し込むように取り付ける。このように組み合わされた水抜き部材１１０及び目地材１２０、１２０は第一実施形態の水抜き部材１０、及び目地材２０と同様、上窓枠３ａとサイディング２との間に形成された目地に挿入される。その際、水抜き部材１１０のスリット１１２、１１２、…が設けられた面及び目地材１２０の装飾材１２２が室外側に向けられる。このとき、スリット１１２、１１２、…が配置される平板の室外側面と、装飾材１２２の室外側面とが略面一となることが好ましい。これにより意匠性が向上するとともに、凹凸を減らして清掃が容易となる。
【００５２】
これにより水抜き部材１１０の部分の目地においてスリット１１２、１１２、…及びスリット１１３、１１３、…を介して室内外方向が連通し、室内側に存する水を室外へ適切に排出することができる。また、スリット１１２、１１２、…とスリット１１３、１１３、…とが千鳥状に配置されているので（図１０参照）、室外側からの吹き込みの勢いを弱めることができる。ここでさらにこの吹き込みの勢いを弱めることを目的に箱体１１１の内側にメッシュを挿入してもよい。
【００５３】
水抜き部材１１０を目地材１２０に差し込むことにより目地材に固定することができるので、水抜き部材の固定を湿式の目地材のようにその接着力や粘着材に頼ることがなく安定して固定することができる。ただし、これは水抜き部材１１０を目地材１２０に仮止めするために粘着材を使用することを妨げるものではなく、装飾材１２２の凸部１２２ａの一部に粘着材を設けて、装飾材１２２を片１１５ｂに粘着させるようにしても良い。
一方、従来の乾式の目地材のように目地材の一部を室内外方向に水抜き部を形成するために切り欠く必要もなく利便性が高い。
【００５４】
また、水抜き部材１１０と目地材１２０、１２０とを別々に目地に配置して施工する必要がなく、同時に施工することができるので施工性が向上する。
【００５５】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う水抜き部材及び水抜き部材付き目地材もまた本発明の技術的範囲に包含されるものとして理解されなければならない。
【図面の簡単な説明】
【００５６】
【図１】第一実施形態に係る本発明の水抜き部材及び水抜き部材付き目地材が備えられた建物の窓部分に注目した室外視正面図である。
【図２】図１にＡ−Ａで示した矢視断面図である。
【図３】水抜き部材及び目地材の斜視図である。
【図４】水抜き部材を示す図である。
【図５】目地材の横断面を示す図である。
【図６】水抜き部材と目地材とが組み合わされた場面を示す斜視図である。
【図７】１つの変形例を示す水抜き部材である。
【図８】他の変形例を示す水抜き部材である。
【図９】第二実施形態に係る本発明の水抜き部材及び水抜き部材付き目地材を示す斜視図である。
【図１０】水抜き部材を示す図である。
【図１１】目地材の横断面を示す図である。
【図１２】水抜き部材と目地材とが組み合わされた場面を示す斜視図である。
【符号の説明】
【００５７】
１  建物
２  サイディング
３  窓
４  躯体
５  胴縁
６  台座
１０、１０ｂ、１０ｃ  水抜き部材
１１、１１ｂ、１１ｃ  箱体
１２、１２ｂ、１２ｃ  スリット
１３、１３ｂ、１３ｃ  スリット
１５  凸部（連結部）
２０  目地材
２１  芯材
２２  装飾材
２３  弾性体
２４  粘着材
２５  環状部（凹部、被連結部）
２６  封入板
１１０  水抜き部材
１１１  箱体
１１２  スリット
１１３  スリット
１１５  凹部（連結部）
１２０  目地材
１２１  芯材
１２２  装飾材
１２２ａ  凸部（被連結部）
１２３  弾性体
１２４  粘着材
【図１】
2009024394.tif 000003
【図２】
2009024394.tif 000004
【図３】
2009024394.tif 000005
【図４】
2009024394.tif 000006
【図５】
2009024394.tif 000007
【図６】
2009024394.tif 000008
【図７】
2009024394.tif 000009
【図８】
2009024394.tif 000010
【図９】
2009024394.tif 000011
【図１０】
2009024394.tif 000012
【図１１】
2009024394.tif 000013
【図１２】
2009024394.tif 000014